(57)【要約】【課題】浴室外が浸水することを防止できる。【解決手段】本浴室では、浴槽エプロン１８に形成された点検口２４（開口）が、浴槽エプロン１８に取り付けられた点検口蓋３２によって塞がれる。また、点検口２４の周縁には枠状に形成された開口縁取り部材６０が取り付けられており、開口縁取り部材６０の突出部６０Ｂが浴槽エプロン１８の浴室内２８側に突出している。ここで、例えば点検口蓋３２の浴槽エプロン１８への取付け不良などにより、点検口蓋３２と浴槽エプロン１８との間に水が浸入した場合でも、当該水は開口縁取り部材６０の突出部６０Ｂの外周を伝って点検口２４の下側へ流下する（矢印Ｗ参照）。【選択図】図６
2010240287.tif 000002
【特許請求の範囲】
【請求項１】
浴室内と浴室外とを仕切る縦壁に形成されて前記縦壁の浴室内側に取り付けられた蓋体によって塞がれる開口の周縁に取り付けられ、前記縦壁の浴室内側へ突出する突出部が前記開口の周縁に沿って延在すると共に、浴室内から前記縦壁と前記蓋体との間に浸入した水を前記突出部の外縁に沿わせて前記開口の下側へ流下させる浴室開口縁取り部材。
【請求項２】
枠状に形成された嵌合部を有し、前記嵌合部が前記開口の内側に嵌合することで前記開口の周縁に取り付けられることを特徴とする請求項１に記載の浴室開口縁取り部材。
【請求項３】
前記嵌合部の外周側には、前記開口の周縁が嵌合する取付溝が周方向に沿って形成されていることを特徴とする請求項１又は請求項２に記載の浴室開口縁取り部材。
【請求項４】
前記突出部の外縁側には、前記縦壁に対して間隙を隔てて対向する水返し壁が前記突出部の延在方向に沿って設けられていることを特徴とする請求項１〜請求項３の何れか１項に記載の浴室開口縁取り部材。
【請求項５】
前記突出部の外縁側には、水を伝わせるための水案内溝が前記突出部の延在方向に沿って形成されていることを特徴とする請求項１〜請求項４の何れか１項に記載の浴室開口縁取り部材。
【請求項６】
前記突出部は、前記蓋体に密着して前記蓋体と前記縦壁との間をシールすることを特徴とする請求項１〜請求項５の何れか１項に記載の浴室開口縁取り部材。
【請求項７】
浴室内と浴室外とを仕切る縦壁と、
前記縦壁に形成された開口と、
前記縦壁の浴室内側に取り付けられ、前記開口を塞ぐ蓋体と、
前記開口の周縁に取り付けられた請求項１〜請求項６の何れか１項に記載の浴室開口縁取り部材と、
を備えた浴室。
【請求項８】
前記蓋体には、前記開口の下側へ流下した水を浴室内へ排出するための水排出口が設けられていることを特徴とする請求項７に記載の浴室。
【請求項９】
前記蓋体には、前記縦壁よりも浴室内側に配置され、前記開口の下側へ流下した水が溜まる水溜め部が設けられ、前記水溜め部と浴室内とが前記水排出口を介して連通していることを特徴とする請求項８に記載の浴室。
【請求項１０】
浴室内と浴室外とを仕切る縦壁と、
前記縦壁に形成された開口と、
前記縦壁の浴室内側に取り付けられ、前記開口を塞ぐ蓋体と、
前記縦壁と一体に形成され、前記開口の周縁から前記浴室内側へ突出すると共に、浴室内から前記縦壁と前記蓋体との間に浸入した水を自らの外縁に沿わせて前記開口の下側へ流下させる開口縁取り部と、
を備えた浴室。
【発明の詳細な説明】
【技術分野】
【０００１】
本発明は、浴室の開口に取り付けられる浴室開口縁取り部材及び浴室に関する。
【背景技術】
【０００２】
従来、ユニットバスでは、浴室内と浴室外とを仕切る縦壁（例えば、浴槽のエプロンなど）に点検口が形成されている。このような点検口は、縦壁にビス止めされる蓋体（点検口蓋）によって塞がれるようになっている（例えば、特許文献１参照）。このような点検口蓋には、縦壁との間を止水するパッキン等が取り付けられている。これにより、点検口からの漏水によって浴室外が浸水することを防止するようにしている。
【先行技術文献】
【特許文献】
【０００３】
【特許文献１】特開２０００−１２９７４０号公報
【発明の概要】
【発明が解決しようとする課題】
【０００４】
しかしながら、上述の如き構成の場合、点検口蓋に取付け不良が生じたり、パッキンが劣化した場合などには、点検口（開口）を介して浴室外に水が漏れてしまう可能性があり、浴室外が浸水する可能性がある。
【０００５】
本発明は上記事実を考慮し、浴室外が浸水することを防止できる浴室開口縁取り部材及び浴室を得ることを目的としている。
【課題を解決するための手段】
【０００６】
請求項１に記載の発明に係る浴室開口縁取り部材は、浴室内と浴室外とを仕切る縦壁に形成されて前記縦壁の浴室内側に取り付けられた蓋体によって塞がれる開口の周縁に取り付けられ、前記縦壁の浴室内側へ突出する突出部が前記開口の周縁に沿って延在すると共に、浴室内から前記縦壁と前記蓋体との間に浸入した水を前記突出部の外縁に沿わせて前記開口の下側へ流下させることを特徴としている。
【０００７】
請求項１に記載の浴室開口縁取り部材では、縦壁の浴室内側へ突出する突出部が開口の周縁に沿って延在する。ここで、例えば縦壁への蓋体の取付け不良などにより、縦壁と蓋体との間に水が浸入した場合には、当該水は突出部の外縁に沿って開口の下側へ流下する。これにより、開口からの漏水を防止することができるので、浴室外が浸水することを防止できる。
【０００８】
請求項２に記載の発明に係る浴室開口縁取り部材は、請求項１に記載の浴室開口縁取り部材において、枠状に形成された嵌合部を有し、前記嵌合部が前記開口の内側に嵌合することで前記開口の周縁に取り付けられることを特徴としている。
【０００９】
請求項２に記載の浴室開口縁取り部材では、枠状に形成された嵌合部が開口の内側に嵌合することで開口の周縁に取り付けられるため、開口への取り付けを容易なものにすることができる。
【００１０】
請求項３に記載の発明に係る浴室開口縁取り部材は、請求項１又は請求項２に記載の浴室開口縁取り部材において、前記嵌合部の外周側には、前記開口の周縁が嵌合する取付溝が周方向に沿って形成されていることを特徴としている。
【００１１】
請求項３に記載の浴室開口縁取り部材では、開口の内側に嵌合する嵌合部の外周側に取付溝が形成されており、この取付溝に開口の周縁が嵌合する。これにより、開口への取付強度を向上させることができる。
【００１２】
請求項４に記載の発明に係る浴室開口縁取り部材は、請求項１〜請求項３の何れか１項に記載の浴室開口縁取り部材において、前記突出部の外縁側には、前記縦壁に対して間隙を隔てて対向する水返し壁が前記突出部の延在方向に沿って設けられていることを特徴としている。
【００１３】
請求項４に記載の浴室開口縁取り部材では、突出部の外縁側に、縦壁に対して間隙を隔てて対向する水返し壁が設けられているため、突出部の外縁に沿って流下する水を水返し壁と縦壁との間に保持することができる。これにより、縁取り部材の内縁側すなわち開口の内側に水が回り込むことを防止できるため、開口からの漏水を効果的に防止することができる。
【００１４】
請求項５に記載の発明に係る浴室開口縁取り部材は、請求項１〜請求項４の何れか１項に記載の浴室開口縁取り部材において、前記突出部の外縁側には、水を伝わせるための水案内溝が前記突出部の延在方向に沿って形成されていることを特徴としている。
【００１５】
請求項５に記載の浴室開口縁取り部材では、突出部の外縁側に形成された水案内溝を水が伝うため、突出部の外縁側を伝う水を開口の下側へ良好に案内することができる。これにより、開口からの漏水を一層効果的に防止することができる。
【００１６】
請求項６に記載の発明に係る浴室開口縁取り部材は、請求項１〜請求項５の何れか１項に記載の浴室開口縁取り部材において、前記突出部は、前記蓋体に密着して前記蓋体と前記縦壁との間をシールすることを特徴としている。
【００１７】
請求項６に記載の浴室開口縁取り部材では、突出部が蓋体に密着して蓋体と縦壁との間がシールされるため、蓋体と縦壁との間をシールするためのパッキン等を省略することができる。
【００１８】
請求項７に記載の発明に係る浴室は、浴室内と浴室外とを仕切る縦壁と、前記縦壁に形成された開口と、前記縦壁の浴室内側に取り付けられ、前記開口を塞ぐ蓋体と、前記開口の周縁に取り付けられた請求項１〜請求項６の何れか１項に記載の浴室開口縁取り部材と、を備えたことを特徴としている。
【００１９】
請求項７に記載の浴室では、縦壁に形成された開口の周縁に、請求項１〜請求項６の何れか１項に記載の浴室開口縁取り部材が取り付けられている。したがって、請求項１〜請求項６の何れか１項に記載の発明と同様の作用効果を奏する。
【００２０】
請求項８に記載の発明に係る浴室は、請求項７に記載の浴室において、前記蓋体の下部には、前記蓋体には、前記開口の下側へ流下した水を浴室内へ排出するための水排出口が設けられていることを特徴としている。
【００２１】
請求項８に記載の浴室では、蓋体に水排出口が設けられているため、開口の下側へ流下した水を良好に浴室内へ排出することができる。また、浴室の縦壁側に水の排出手段を設ける必要がないため、構成を簡素化することができる。
【００２２】
請求項９に記載の発明に係る浴室は、請求項８に記載の浴室において、前記蓋体には、前記縦壁よりも浴室内側に配置され、前記開口の下側へ流下した水が溜まる水溜め部が設けられ、前記水溜め部と浴室内とが前記水排出口を介して連通していることを特徴としている。
【００２３】
請求項９に記載の浴室では、蓋体に水溜め部が設けられている。この水溜め部は、縦壁よりも浴室内側に配置されており、この水溜め部と浴室内とが水排出口を介して連通している。このため、水排出口からの排水量を上回る量の水が開口の下側へ流下してきた場合でも、水溜め部に水が溜まることで、開口側へ水が溢れることを抑制できる。換言すれば、水排出口を小さく形成した場合でも、開口側へ水が溢れることを抑制できるため、浴室内側の水が水排出口を介して水溜め部側へ逆流することを抑制できる。
【００２４】
請求項１０に記載の発明に係る浴室は、浴室内と浴室外とを仕切る縦壁と、前記縦壁に形成された開口と、前記縦壁の浴室内側に取り付けられ、前記開口を塞ぐ蓋体と、前記縦壁と一体に形成され、前記開口の周縁から前記浴室内側へ突出すると共に、浴室内から前記縦壁と前記蓋体との間に浸入した水を自らの外縁に沿わせて前記開口の下側へ流下させる開口縁取り部と、を備えたことを特徴としている。
【００２５】
請求項１０に記載の浴室では、縦壁と一体に形成された開口縁取り部が、開口の周縁から浴室内側へ突出している。ここで、例えば縦壁への蓋体の取付け不良などにより、縦壁と蓋体との間に水が浸入した場合には、当該水は開口縁取り部の外縁に沿って開口の下側へ流下する。これにより、開口からの漏水を防止することができる。
【発明の効果】
【００２６】
以上説明したように、本発明に係る浴室開口縁取り部材及び浴室では、浴室外が浸水することを防止できる。
【図面の簡単な説明】
【００２７】
【図１】本発明の第１実施形態に係るユニットバスの主要部の構成を示す斜視図である。
【図２】図１に示されるユニットバスの主要部の構成を示す側面図である。
【図３】図１に示されるユニットバスの一部を拡大した分解斜視図である。
【図４】本発明の第１実施形態に係るユニットバスの構成部材である点検口蓋を表側から見た斜視図である。
【図５】本発明の第１実施形態に係るユニットバスの構成部材である点検口蓋を裏側から見た斜視図である。
【図６】本発明の第１実施形態に係るユニットバスの部分的な構成を示す概略的な縦断面図であり、点検口蓋と浴槽エプロンとの間に浸入した水の流れ方を説明するための概念的な図である。
【図７】本発明の第１実施形態に係る浴室開口縁取り部材の一部を拡大した斜視図である。
【図８】本発明の第１実施形態の第１変形例を示す縦断面図である。
【図９】本発明の第１実施形態の第２変形例を示す縦断面図である。
【図１０】本発明の第１実施形態の第３変形例を示す縦断面図である。
【図１１】本発明の第１実施形態の第４変形例を示す縦断面図である。
【図１２】本発明の第２実施形態に係るユニットバスの部分的な構成を示す概略的な縦断面図である。
【図１３】本発明の第３実施形態に係るユニットバスの部分的な構成を示す概略的な縦断面図である。
【発明を実施するための形態】
【００２８】
＜第１の実施形態＞
以下、図１〜図７を参照して、本発明の第１の実施形態について説明する。図１には、本第１実施形態に係る浴室としてのユニットバス１２が概略的な斜視図にて示されている。また、図２には、このユニットバス１２が概略的な側面図にて示されている。なお、図１及び図２では説明の都合上、ユニットバス１２の側壁の一部の図示を省略してある。
【００２９】
このユニットバス１２では、一方に浴槽１４、他方に洗い場１６が設けられており、浴槽１４と洗い場１６との境には浴槽エプロン１８（縦壁）が形成されている。また、図２に示されるように、浴槽１４と洗い場１６の下側には、架台２０が設けられており、ユニットバス１２はこの架台２０を介して建物の床面２２に設置されている。
【００３０】
図３に示されるように、浴槽エプロン１８の幅方向一端側には、方形の点検口２４（開口）が形成されている。この点検口２４は、浴槽１４の上面に取り付けられた混合水栓２６（図２では図示省略）を点検する際や、設備器具等の取付けの際などに使用されるものであり、この点検口２４を介して浴室内２８と浴室外３０とが連通している。この点検口２４は、点検口蓋３２（蓋体）によって塞がれるようになっている。
【００３１】
点検口蓋３２は、樹脂材料等によって略矩形板状に形成されたものであり、四隅にネジ孔３４が形成されている（図４及び図５参照）。これらのネジ孔３４は、点検口２４の四隅の近傍で浴槽エプロン１８に形成された４つのグロメット孔３６（図３参照）に対応している。各グロメット孔３６には、それぞれグロメット３８が装着されており、点検口蓋３２の各ネジ孔３４に挿入されたネジ４０が各グロメット３８に螺合することで、点検口蓋３２が浴槽エプロン１８の浴室内２８側に取り付けられる。また、各ネジ４０の頭部と点検口蓋３２との間には、ワッシャー４２及びパッキン４４（止水部材）が介在され、これらのパッキン４４によって各ネジ孔３４が止水される構成になっている。なお、図３以外の図では、説明の都合上、ネジ４０、グロメット３８、ワッシャー４２及びパッキン４４の図示を省略してある。
【００３２】
図５に示されるように、点検口蓋３２の裏側（裏面）の外周部には、ゴム等の弾性体によって長尺帯状に形成されたパッキン４６（止水部材）が接着されている。このパッキン４６は、点検口蓋３２の裏面の外周部の全周にわたって設けられており、点検口蓋３２が浴槽エプロン１８に取り付けられた状態（図６参照、以下、単に「取付状態」という）では、点検口２４の外周外側で浴槽エプロン１８の表面（浴室内２８側の面）に密着する。これにより、点検口蓋３２と浴槽エプロン１８との間がパッキン４６によってシール（止水）されるようになっており、浴室内２８の水が点検口２４を介して浴室外３０に漏れることが防止される。なお、パッキン４６の浴槽エプロン１８への密着状態は、各ネジ４０の締め付け状態に依存するようになっており、パッキン４６が十分につぶれるまで各ネジ４０が締め付けられることで、パッキン４６による止水性が確保されるようになっている。
【００３３】
一方、点検口蓋３２の中央部には、点検口蓋３２の裏方向へ向けて膨出した膨出部４８が設けられており、点検口蓋３２の中央部は表側が浅底な角皿状に窪んでいる。この膨出部４８は、図６に示される取付状態では、点検口２４の内側を貫通して浴室外３０側へ突出するようになっており、点検口蓋３２は、膨出部４８を含む裏側の一部が浴室外３０に露出した状態で点検口２４を塞ぐようになっている。
【００３４】
また、膨出部４８の下側で点検口蓋３２の下部には、点検口蓋３２の表方向へ膨出した棚部５０が設けられている。この棚部５０は、図６に示される取付状態において、浴室内２８側へ略水平に突出して配置されるようになっており、この棚部５０の上面には、石鹸やシャンプー等を載置できるようになっている。この棚部５０は中空状に形成されており、内側が水溜め部５２とされている。この水溜め部５２の底壁５４には、図４に示されるように、円形の水排出口５６（貫通孔）が形成されており、この水排出口５６を介して水溜め部５２と浴室内２８とが連通している。なお、浴室内２８の気密性が問題となる場合には、水溶性の材質の部材で水排出口５６に栓をすることも可能である。
【００３５】
一方、図６に示されるように、点検口２４の周縁には、浴室開口縁取り部材６０（以下、単に「縁取り部材６０」という）が取り付けられている。この縁取り部材６０は、ゴム等の弾性材料又は軟質樹脂材料などによって形成されたものであり、本第１実施形態では矩形の枠状に形成されている（図３参照）。この縁取り部材６０は、点検口２４の内側に嵌合する嵌合部６０Ａと、この嵌合部６０Ａが点検口２４の内側に嵌合した状態で浴槽エプロン１８の浴室内２８側に突出する突出部６０Ｂとを備えている。これらの嵌合部６０Ａ及び突出部６０Ｂは、共に枠状に形成されている。
【００３６】
図６及び図７に示されるように、嵌合部６０Ａの外周には、周方向に沿って取付溝６２が形成されており、この取付溝６２には、点検口２４の周縁が嵌合している。これにより、縁取り部材６０が点検口２４の周縁（浴槽エプロン１８）に取り付けられている。
【００３７】
また、突出部６０Ｂの外周（外縁側）には、突出部６０Ｂの周方向（突出部６０Ｂの延在方向）に沿って水案内溝６４が形成されている。この水案内溝６４は、取付溝６２と平行に並んで形成されている。水案内溝６４の浴室内２８側の側壁は、突出部６０Ｂの外周外側へ延出されており、この延出部分は水返し壁６６とされている。この水返し壁６６は、浴槽エプロン１８に対して間隙を隔てて対向している。
【００３８】
次に、本第１実施形態の作用及び効果について説明する。
【００３９】
本第１実施形態では、例えば点検口蓋３２の浴槽エプロン１８への取付け不良（例えば、ネジ４０の締め付け不良など）や、パッキン４６の劣化などにより、点検口蓋３２の上部と浴槽エプロン１８との間に水が浸入した場合でも、当該水は縁取り部材６０の突出部６０Ｂの外周を伝って（外縁側に沿って）点検口２４の下側へ流下する（図６及び図７の矢印Ｗ参照）。点検口２４の下側へ流下した水は、点検口蓋３２の水溜め部５２の内側に溜まり、水溜め部５２の底壁５４に形成された水排出口５６から浴室内２８へ排出される。これにより、点検口２４からの漏水を防止することができるので、建物の床面２２等（浴室外３０）が浸水することを防止できる。
【００４０】
また、本第１実施形態では、縁取り部材６０は、枠状に形成された嵌合部６０Ａが点検口２４の内側に嵌合することで点検口２４の周縁に取り付けられるため、縁取り部材６０を容易に点検口２４に取り付けることができる。しかも、嵌合部６０Ａの外周には、点検口２４の周縁が嵌合する取付溝６２が形成されているため、縁取り部材６０を点検口２４に強固に取り付けることができる。
【００４１】
さらに、本第１実施形態では、突出部６０Ｂの外周に、浴槽エプロン１８に対して間隙を隔てて対向する水返し壁６６が設けられているため、突出部６０Ｂの外周を伝う水を水返し壁６６と浴槽エプロン１８との間に保持することができる。これにより、縁取り部材６０の内周側すなわち点検口２４の内側に水が回り込むことを防止できるため、点検口２４からの漏水を効果的に防止することができる。
【００４２】
また、本第１実施形態では、突出部６０Ｂの外周に形成された水案内溝６４を水が伝うため、突出部６０Ｂの外周を伝う水を点検口２４の下側へ良好に案内することができる。これにより、点検口２４からの漏水を一層効果的に防止することができる。
【００４３】
またさらに、本第１実施形態では、点検口蓋３２の下部に水排出口５６が設けられているため、点検口２４の下側へ流下した水を良好に浴室内２８へ排出することができる。また、浴槽エプロン１８（浴室の縦壁）に水の排出手段を設ける必要がないため、構成を簡素化することができる。
【００４４】
また、本第１実施形態では、点検口蓋３２の下部に水溜め部５２が設けられており、この水溜め部５２と浴室内２８とが水排出口５６を介して連通している。このため、水排出口５６からの排水量を上回る量の水が点検口２４の下側へ流下してきた場合でも、水溜め部５２に水が溜まることで、点検口２４側へ水が溢れることを抑制できる。換言すれば、水排出口５６を小さく形成した場合でも、点検口２４側へ水が溢れることを抑制できるため、浴室内２８側の水が水排出口５６を介して水溜め部５２側へ逆流することを抑制できる。しかも、水排出口５６が水溜め部５２の底壁５４に形成されているため、浴室内２８で入浴時に利用されるシャワーの水などが水排出口５６を介して水溜め部５２側へ逆流することを防止できる。
【００４５】
なお、上記第１実施形態では、縁取り部材６０の突出部６０Ｂに水案内溝６４が形成された構成にしたが、本発明はこれに限らず、図８に示されるように、水案内溝６４が省略された構成にしてもよい。
【００４６】
また、上記第１実施形態では、縁取り部材６０の嵌合部６０Ａに取付溝６２が形成された構成にしたが、本発明はこれに限らず、図９に示されるように、取付溝６２が省略された構成にしてもよい。但しこの場合、点検口２４からの縁取り部材６０の脱落を防止するために、例えば、点検口２４の浴室外３０側の周縁に引っ掛かる突起６８等を縁取り部材６０の外周に設ける必要がある。
【００４７】
また、上記第１実施形態では、水排出口５６が点検口蓋３２に設けられた構成にしたが、本発明はこれに限らず、水排出口の構成は適宜変更することができる。例えば、図１０に示されるように、パッキン４６の下部の一部を削除することで、水排出口７０を形成してもよい。また、図１１に示されるように、浴槽エプロン１８（浴室の縦壁）に凹部７２を設けることで水排出口を形成してもよい。
【００４８】
また、上記第１の実施形態では、縁取り部材６０が枠状に形成された構成にしたが、本発明はこれに限らず、浴室開口縁取り部材の形状は適宜変更することができる。例えば、図３に示される縁取り部材６０の下部６１（点検口２４の下縁に取り付けられる部分）が省略され、浴室開口縁取り部材がコの字形に形成された構成にしてもよい。また例えば、浴室開口縁取り部材が、軟質材料の押出し成形などによって１本の直線状に形成され、点検口２４の周縁に沿わせて取り付けられる構成にしてもよい。
【００４９】
次に、本発明の他の実施形態について説明する。なお、前記第１の実施形態と基本的に同様の構成・作用については、前記第１の実施形態と同符号を付与しその説明を省略する。
＜第２の実施形態＞
図１２には、本発明の第２の実施形態に係るユニットバス（浴室）の部分的な構成が概略的な縦断面図にて示されている。この実施形態は、前記第１の実施形態と基本的に同様の構成とされているが、この実施形態では、縁取り部材６０の水返し壁６６の外周には、浴室内２８側へ突出するシール部７６が設けられている。このシール部７６は、点検口蓋３２の裏面に密着している。これにより、点検口蓋３２と浴槽エプロン１８との間が縁取り部材６０によってシール（止水）されており、点検口蓋３２のパッキン４６が省略されている。したがって、パッキン４６の省略により構成の簡素化を図ることができる。
＜第３の実施形態＞
図１３には、本発明の第３の実施形態に係るユニットバス（浴室）の部分的な構成が概略的な縦断面図にて示されている。この実施形態は、前記第１の実施形態と基本的に同様の構成とされているが、この実施形態では、縁取り部材６０が省略されており、その代わりに、浴槽エプロン１８には、点検口２４の周縁から浴室内２８側へ突出した開口縁取り部８０が設けられている。この開口縁取り部８０は、浴槽エプロン１８と一体に形成されたものである。なお、図１３では、点検口蓋３２の図示を省略してある。
【００５０】
この実施形態では、点検口蓋３２の上部と浴槽エプロン１８との間に水が浸入した場合には、当該水は開口縁取り部８０の外周を伝って（外縁側に沿って）点検口２４の下側へ流下する（図１３の矢印Ｗ参照）。したがって、前記第１の実施形態と基本的に同様の作用効果を奏する。
【００５１】
なお、上記各実施形態では、点検口２４（開口）が浴槽エプロン１８（縦壁）に形成された構成にしたが、本発明はこれに限らず、開口がユニットバス１２の側壁等の他の縦壁に形成された構成にしてもよい。
【００５２】
以上、実施形態を挙げて本発明について説明したが、上記各実施形態は一例であり、要旨を逸脱しない範囲内で種々変更して実施できる。また、本発明の権利範囲が上記各実施形態に限定されないことは言うまでもない。
【符号の説明】
【００５３】
１２    ユニットバス（浴室）
１８    エプロン（縦壁）
２４    点検口
２８    浴室内
３０    浴室外
３２    点検口蓋（蓋体）
５２    水溜め部
５６    水排出口
６０    浴室開口縁取り部材
６０Ｂ  突出部
６２    取付溝
６４    水案内溝
６６    水返し壁
８０    開口縁取り部
【図１】
2010240287.tif 000003
【図２】
2010240287.tif 000004
【図３】
2010240287.tif 000005
【図４】
2010240287.tif 000006
【図５】
2010240287.tif 000007
【図６】
2010240287.tif 000008
【図７】
2010240287.tif 000009
【図８】
2010240287.tif 000010
【図９】
2010240287.tif 000011
【図１０】
2010240287.tif 000012
【図１１】
2010240287.tif 000013
【図１２】
2010240287.tif 000014
【図１３】
2010240287.tif 000015